(57)【要約】【課題】  携帯端末装置１００を用いて、オンデマンドで必要な情報を取得できる簡便、且つ安全な情報共有システムを実現すること。【解決手段】  サーバ装置２００に対して、端末登録部１１１は自己の識別情報の登録を求め、共有情報登録部１１３は、自己のユーザ情報の登録を求め、ペアリング登録部１１２は、識別情報を登録された他の携帯端末装置１００との間で、上記ユーザ情報の共有登録を求め、共有情報参照部１１４は、ユーザ情報の共有を許可された他の携帯端末装置１００のユーザ情報の参照を求め、サーバ装置２００に対して、端末登録部２０９は、携帯端末装置１００を登録し、共有情報登録部２１１は、ユーザ情報を登録し、ペアリング登録部２１０は、ユーザ情報の共有許可を許可し、共有情報参照部２１２は、ユーザ情報の参照を認める。【選択図】        図１
2008047022.tif 000002
【特許請求の範囲】
【請求項１】
ネットワークに接続する複数の携帯端末装置の各々が、他の携帯端末装置のユーザに関連するユーザ情報を前記ネットワークに接続するサーバ装置から取得する携帯端末装置による情報共有システムであって、
前記携帯端末装置は、
前記サーバ装置に自己の識別情報の登録を求める第１の端末登録部と、
前記サーバ装置に自己のユーザ情報の登録を求める第１の共有情報登録部と、
前記サーバ装置に前記識別情報を登録された他の携帯端末装置との間で、前記ユーザ情報の共有登録を求める第１のペアリング登録部と、
前記サーバ装置に前記ユーザ情報の共有を許可された他の携帯端末装置のユーザ情報の参照を求める第１の共有情報参照部とを備え、
前記サーバ装置は、
前記第１の端末登録部の登録要求に基づいて前記携帯端末装置を登録する第２の端末登録部と、
前記第１の共有情報登録部の登録要求に基づいてユーザ情報を登録する第２の共有情報登録部と、
前記第１のペアリング登録部の登録要求に基づいて前記ユーザ情報の共有許可を許可する第２のペアリング登録部と、
前記第１の共有情報参照部の参照要求に基づいてユーザ情報の参照を認める第２の共有情報参照部とを備えることを特徴とする携帯端末装置による情報共有システム。
【請求項２】
前記識別情報は、
前記ネットワーク中における前記複数の携帯端末装置の各々に付加される個別情報であることを特徴とする請求項１に記載の携帯端末装置による情報共有システム。
【請求項３】
前記識別情報は、
前記複数の携帯端末装置の各々が、それぞれ有するＩＣタグに格納されていることを特徴とする請求項２に記載の携帯端末装置による情報共有システム。
【請求項４】
前記第１の共有情報参照部は、前記ユーザ情報の共有しようとする他の携帯端末装置の前記識別情報を前記ＩＣタグから取得し、ペアリング登録要求を含めることを特徴とする請求項３に記載の携帯端末装置による情報共有システム。
【請求項５】
前記携帯端末装置は、前記ユーザを個人認証する第１の認証部を更に備え、
前記自己の識別情報の登録、前記自己のユーザ情報の登録、前記ユーザ情報の共有許可、及び前記ユーザ情報の参照の内、少なくとも１つに対して前記第１の認証部による個人認証を実施可能要件とすることを特徴とする請求項１に記載の携帯端末装置による情報共有システム。
【請求項６】
前記サーバ装置は、前記ユーザを個人認証する第２の認証部を更に備え、
前記自己の識別情報の登録、前記自己のユーザ情報の登録、前記ユーザ情報の共有許可、及び前記ユーザ情報の参照の内、少なくとも１つに対して前記第２の認証部による個人認証を実施可能要件とすることを特徴とする請求項１に記載の携帯端末装置による情報共有システム。
【発明の詳細な説明】
【技術分野】
【０００１】
本発明は、複数の携帯端末装置がサーバ装置を経由して、容易に安全に情報を共有できる携帯端末装置による情報共有システムに関する。
【背景技術】
【０００２】
いつでもどこでも使用できる携帯端末装置を用いて、オンデマンドで必要な情報を取得できる携帯端末装置による簡便、且つ安全な情報共有システムの実現が望まれている。一例として消費者のホームサーバ装置に消費者の所有物に関連する情報を格納し、商品購入時に参照するシステムが提案されている（特許文献１参照）。また、一般向けのオンラインストレージサービスシステムとしては、ネットワーク上に配設されるサーバ装置を介して、グループメンバ間で情報を共有できるシステム等も公知である。
【特許文献１】特開２００５−６３０６５号公報
【発明の開示】
【発明が解決しようとする課題】
【０００３】
しかしながら、上記のシステムには、以下のような解決すべき課題が残されていた。例えば、消費者のホームサーバ装置に消費者の所有物に関連する情報を格納し、商品購入時に参照するシステムを構成したとする。かかる場合には、このような特定な用途のために機能する専用のホームサーバ装置（その消費者が管理するサーバ装置）を必要とする。また、そのホームサーバ装置を管理する消費者が、そのホームサーバ装置に自己の全ての所有物情報を予め格納しなければならない。また、オンラインストレージサービスシステムでは、ネットワーク上でのグループメンバを情報共有相手とするため、相手が本当に信頼できる相手なのか否かの判断がしにくいため、個人情報などを公開する場合に、情報の漏洩や不正利用などの脅威に巻き込まれる可能性があった。
【課題を解決するための手段】
【０００４】
本発明は、ネットワークに接続する複数の携帯端末装置の各々が、他の携帯端末装置のユーザに関連するユーザ情報を上記ネットワークに接続するサーバ装置から取得する携帯端末装置による情報共有システムであって、上記携帯端末装置は、上記サーバ装置に自己の識別情報の登録を求める第１の端末登録部と、上記サーバ装置に自己のユーザ情報の登録を求める第１の共有情報登録部と、上記サーバ装置に前記識別情報を登録された他の携帯端末装置との間で、上記ユーザ情報の共有登録を求める第１のペアリング登録部と、上記サーバ装置に上記ユーザ情報の共有を許可された他の携帯端末装置のユーザ情報の参照を求める第１の共有情報参照部とを備え、上記サーバ装置は、上記第１の端末登録部の登録要求に基づいて上記携帯端末装置を登録する第２の端末登録部と、上記第１の共有情報登録部の登録要求に基づいてユーザ情報を登録する第２の共有情報登録部と、上記第１のペアリング登録部の登録要求に基づいて上記ユーザ情報の共有許可を許可する第２のペアリング登録部と、上記第１の共有情報参照部の参照要求に基づいてユーザ情報の参照を認める第２の共有情報参照部とを備えることを主要な特徴とする。
【発明の効果】
【０００５】
第１の共有情報参照部は、上記ユーザ情報の共有を許可された他の携帯端末装置の上記識別情報を上記ＩＣタグから取得し、参照要求に含めてユーザ情報の参照を求めることが出来るので、ユーザは、ユーザ情報の共有を許可された情報共有相手を、互いの携帯端末装置を近接させるだけで設定できるので利便性を損なわないという効果を得る。更に、各携帯端末装置、及びサーバ装置にそれぞれ認証部をそなえているので安全にサーバ装置上で情報共有を行えるという効果を得る。
【発明を実施するための最良の形態】
【０００６】
本発明の携帯端末装置による情報共有システムは以下のように構成される。
【実施例】
【０００７】
図１は、携帯端末装置による情報共有システムのシステム構成図である。
図に示すように、本システムは、携帯端末装置１００と、サーバ装置２００と、ネットワーク３００により構成される。図中、携帯端末装置１００は、一台のみネットワーク３００に接続されているが、これは、説明上の便宜を図っているためであって、実際のシステムでは、多数台接続される。
【０００８】
携帯端末装置１００は、入力手段１０１と、表示手段１０２と、ＩＤ情報取得手段１０３と、通信手段１０４と、認証部１０５と、ＩＤ情報１０６と、ＭＰＵ１０７と、ＲＯＭ１０８と、ＲＡＭ１０９と、記憶部１１０と、端末登録部１１１と、ペアリング登録部１１２と、共有情報登録部１１３と、共有情報参照部１１４と、情報共有アプリケーション取得部１１５とを備える移動体通信用の端末装置である。
【０００９】
入力手段１０１は、１０キーパッドなどを有し、ユーザから入力情報を受入れる機構スイッチである。表示手段１０２は、ユーザに携帯端末装置１００内部の制御情報や、入力手段１０１に対する入力ガイド情報などを表示する表示画面である。ＩＤ情報取得手段１０３は、他の同種の携帯端末装置のＩＤ情報を取得する手段である。一例として、ここではＩＤ情報１０６を取得する無線タグリーダを用いる。
【００１０】
通信手段１０４は、携帯端末装置１００をネットワーク３００へ通信（無線）接続し、パケット通信を行うインタフェース手段である。認証部１０５は、携帯端末装置のユーザが所有者本人であることを認証するための個人認証手段である。この認証方式についてはここでは規定しないが、生体認証（虹彩、指紋など）やパスワード認証などを想定している。本実施例では携帯端末装置を携帯電話に限定して説明する。
【００１１】
ＩＤ情報１０６は、携帯端末装置１００を識別可能な情報である。この情報は、装置に内臓または装着されたデバイスに格納されているものと想定しているが、その保持形態については規定しない。本実施例では、携帯電話に装着された無線タグに格納されているとして説明する。無線タグ規格の種類には、ＮＦＣ、Ｆｅｌｉｃａなどがある。ＩＤ情報取得手段１０３では、主に、（１）近距離無線通信を使用して取得する、または、（２）公衆網のデータ通信を介して取得する、の２通りを想定しているが、その規格については規定しない。（１）近距離無線通信では、無線タグで使用されるもの（ＮＦＣ、Ｆｅｌｉｃａ）、ＺｉｇＢｅｅ、Ｂｌｕｅｔｏｏｔｈ、無線ＬＡＮなどが考えられる。（２）公衆網のデータ通信では、携帯電話網のパケット通信、無線ＬＡＮを介したインターネット利用、または、ＰＣと連携した形でのインターネット利用なども考えられる。本実施例では、上記のように携帯端末装置１００に無線タグリーダが装着されているものとして説明する。
【００１２】
ＭＰＵ１０７は、記憶部１１０にインストールされている情報共有アプリケーションソフト１１０ａを実行することによって、端末登録部１１１と、ペアリング登録部１１２と、共有情報登録部１１３と、共有情報参照部１１４と、情報共有アプリケーション取得部１１５とを起動・生成するマイクロプロセッシングユニットである。又、ＲＯＭ１０８に予め格納されている所定の制御プログラムを実行することによって装置全体を制御するマイクロプロセッシングユニットでもある。
【００１３】
ＲＯＭ１０８は、ＭＰＵ１０７が実行することによって装置全体を制御する制御プログラム、及び制御データを予め格納するリードオンリメモリである。情報共有アプリケーション取得部１１５はＲＯＭ１０８に含まれていてもよい。ＲＡＭ１０９は、ＭＰＵ１０７が、制御プログラムを実行する中で必要になる演算領域を提供するランダムアクセスメモリである。
【００１４】
記憶部１１０は、その内部に情報共有アプリケーションソフト１１０ａと、認証情報１１０ｂとを格納する不揮発性のメモリである。情報共有アプリケーションソフト１１０ａは、ＭＰＵ１０７が、端末登録部１１１と、ペアリング登録部１１２と、共有情報登録部１１３と、共有情報参照部１１４とを起動・生成するために実行する制御プログラムの集合であり、ユーザ操作によって、ネットワーク３００を介してサーバ装置２００からダウンロードされ、格納される。又、認証情報１１０ｂは、上記のように携帯端末装置の所有者本人の生体認証（虹彩、指紋など）やパスワード認証などに必要なデータである。このデータは、予めユーザによって格納される。端末登録部１１１とペアリング登録部１１２と共有情報登録部１１３と共有情報参照部１１４は情報共有アプリケーションソフト１１０ａに含まれていてもよい。また、情報共有アプリケーション取得部１１５は記憶部に含まれるソフトウェアであってもよい。
【００１５】
端末登録部１１１は、サーバ装置２００に対して携帯端末装置１００の登録を要求する部分である。ペアリング登録部１１２は、サーバ装置２００に対して所定の携帯端末装置とのペアリング登録を要求する部分である。共有情報登録部１１３は、サーバ装置２００に対して共有情報の登録を要求する部分である。共有情報参照部１１４は、サーバ装置２００に対して共有情報の提供を要求する部分である。情報共有アプリケーション取得部１１５は、サーバ装置２００から情報共有アプリケーションソフト２０７ｂをダウンロードし記憶部１１０に格納する部分である。
【００１６】
サーバ装置２００は、入力手段２０１と、表示手段２０２と、通信手段２０３と、ＣＰＵ２０４と、ＲＯＭ２０５と、ＲＡＭ２０６と、記憶部２０７と、情報共有アプリケーション提供部２０８と、端末登録部２０９と、ペアリング登録部２１０と、共有情報登録部２１１と、共有情報参照部２１２と、認証部２１３とを備える大容量のハードディスクを有する共有情報登録・提供装置である。
【００１７】
入力手段２０１は、キーボードスイッチなどを有し、ユーザから入力情報を受入れる機構スイッチである。表示手段２０２は、ユーザにサーバ装置２００内部の制御情報や、入力手段２０１に対する入力ガイド情報などを表示するＣＲＴなどの表示画面である。通信手段２０３は、サーバ装置２００を所定のネットワークプロトコルに基づいてネットワーク３００へ通信（無線）接続し、パケット通信を行うインタフェース手段である。
【００１８】
ＣＰＵ２０４は、記憶部２０７に格納されている情報共有サービスソフト２０７ａを実行することにより、情報共有アプリケーション提供部２０８と、端末登録部２０９と、ペアリング登録部２１０と、共有情報登録部２１１と、共有情報参照部２１２とを起動・生成するセントラルプロセッシングユニットである。又、ＲＯＭ２０５に予め格納されている所定の制御プログラムを実行することによって装置全体を制御するセントラルプロセッシングユニットでもある。
【００１９】
ＲＯＭ２０５は、ＣＰＵ２０４が実行することによって装置全体を制御する制御プログラム、及び制御データを予め格納するリードオンリメモリである。ＲＡＭ２０６は、ＣＰＵ２０４が、制御プログラムを実行する中で必要になる演算領域を提供するランダムアクセスメモリである。
【００２０】
記憶部２０７は、その内部に情報共有サービスソフト２０７ａと、情報共有アプリケーションソフト２０７ｂと、情報共有テーブル２０７ｃとを格納する不揮発性のメモリである。情報共有サービスソフト２０７ａは、ＣＰＵ２０４が実行することによって、情報共有アプリケーション提供部２０８、端末登録部２０９、ペアリング登録部２１０、共有情報登録部２１１、共有情報参照部２１２とを起動・生成する制御プログラムの集合である。情報共有アプリケーションソフト２０７ｂは、記憶部２０７に予め格納され、ユーザ操作によって、ネットワーク３００を介してサーバ装置２００からダウンロードされ、上記情報共有アプリケーションソフト１１０ａとして記憶部１１０に格納される制御プログラムの集合である。記憶部２０７には、更に、実際にユーザの共有情報が格納される領域である情報共有テーブル２０７ｃが確保される。情報共有アプリケーション提供部２０８と端末登録部２０９とペアリング登録部２１０と、共有情報登録部２１１と、共有情報参照部２１２は情報共有サービスソフト２０７ａに含まれていてもよい。
【００２１】
情報共有アプリケーション提供部２０８は、ＣＰＵ２０４の制御に基づいてシステム内で公開されている情報共有アプリケーションソフト２０７ｂ（図１）を携帯端末装置１００のユーザの要求に基づいてダウンロードさせる部分である。端末登録部２０９は、携帯端末装置１００の端末登録部１１１による登録要求に基づいて情報共有テーブル２０７ｃに共有情報の登録枠を確保する部分である。ペアリング登録部２１０は、携帯端末装置１００のペアリング登録部１１２によるペアリング登録要求に基づいて所定の携帯端末装置１００との間でペアリング登録を実行する部分である。共有情報登録部２１１は、携帯端末装置１００の共有情報登録部１１３による登録要求に基づいて共有情報を情報共有テーブル２０７ｃに登録する部分である。共有情報参照部２１２は、携帯端末装置１００の共有情報参照部１１４による参照要求に基づいて情報共有テーブル２０７ｃに登録されている共有情報を提供する部分である。認証部２１３は、上記各種登録を求める携帯端末装置１００のユーザが所有者本人であることを認証するための個人認証手段である。この認証方式についてはここでは規定しないが、生体認証（虹彩、指紋など）やパスワード認証などを想定している。この認証情報としては、上記端末登録部２０９が、携帯端末装置１００の端末登録部１１１による端末登録要求時に送信されてくる認証情報の特徴値が用いられる。この認証情報の特徴値は情報共有テーブル２０７ｃに格納されている。
【００２２】
ネットワーク３００は、携帯端末装置１００とサーバ装置２００間でデータ通信を行う際の通信路を意味するが、具体的な構成については規定しない。本実施例では、携帯電話網（パケット通信）＋ＩＰ通信網として説明する。
【００２３】
以下に実施例の動作について説明する。まず、本情報共有サービスの用途について説明する。ユーザＡとユーザＢは、親族／親友などの非常に近しい間柄で、利便性向上のため、互いに相手に関する情報を参照したいと希望しているものとする。例えば、ユーザＡとユーザＢは兄弟であって、互いの子供にプレゼントを贈り合う機会が多く、本、おもちゃ、衣服などを贈る場合に、相手の子供の年齢や衣服のサイズなどの情報が必要になる。直接相手に電話して尋ねても良いが、プレゼントを贈る機会毎に尋ねる必要があるし、相手もその時の状況（すぐに電話に出られない等）によって即時に答えられないことも考えられる。
【００２４】
また、他にも同様の間柄の相手がいる場合には、更に問合せ／応答の機会が増える。従って、２者間で簡単に情報を共有するためのサービスが期待される。情報共有に当たっては、（１）情報共有の当事者が、互いに情報共有の意志を確認しながら簡単にシステムに登録できる仕組み、及び、（２）なりすまし等により他者に情報が漏洩しないためのセキュリティ対策が必要である。本発明により、これらを解決することが可能である。
【００２５】
本発明の動作は、携帯端末装置１００の情報共有アプリケーションソフト１１０ａをＭＰＵ１０７が実行することにより稼動する。以下に、情報共有アプリケーションソフト１１０ａに含まれる４つの主な機能である、端末登録部１１１、ペアリング登録部１１２、共有情報登録部１１３、共有情報参照部１１４の動作について説明する。これらの機能は、すべてサーバ装置２００上の情報共有サービスソフト２０７ａと連携して動作する。但し、以下の動作説明では、サーバ装置２００が、既に稼動しているものとする。
【００２６】
図２は、ユーザと携帯端末装置との関連説明図である。
図に示すように、ユーザＡが、ＩＤ情報−００１の携帯端末装置（電話）１００（図１）を、ユーザＢが、ＩＤ情報−００２の携帯端末装置（電話）１００（図１）を、ユーザＣが、ＩＤ情報−００３の携帯端末装置（電話）１００（図１）を、それぞれ保持しているものとして説明する。まず、各ユーザは、情報共有サービスを利用するのに先立って、同サービス上で公開されている情報共有アプリケーションソフト２０７ｂ（図１）をサーバ装置２００（図１）からダウンロードし、携帯端末装置（電話）１００の記憶部１１０（図１）に情報共有アプリケーションソフト１１０ａとして格納する。情報共有アプリケーションソフト１１０ａは、予め携帯端末装置（電話）１００の認証部１０５（図１）と連携して動作することになっているものとする。
【００２７】
以下にユーザＡが保持するＩＤ情報−００１の携帯端末装置（電話）１００（図１）をサーバ装置２００に登録する動作について説明する。
図３は、端末登録シーケンスである。
図のステップＳ１−１からステップＳ１−５までステップ順にＩＤ情報−００１の携帯端末装置（電話）１００（図１）をサーバ装置２００に登録する動作について説明する。
【００２８】
ステップＳ１−１
ユーザＡの操作によって、ＭＰＵ１０７（図１）が、情報共有アプリケーションソフト１１０ａ（図１）を実行し、端末登録部１１１（図１）が起動する。
【００２９】
ステップＳ１−２
認証部１０５（図１）が動作を開始し、認証手段（虹彩認証など）と認証情報（ユーザＡの虹彩情報など）を使用して本人認証が行われる。本人認証に成功すると次へ進む。ここで本人認証に失敗した場合には以下のシーケンスは中止される。
【００３０】
ステップＳ１−３
ユーザが入力手段１０１（図１）を操作してユーザ名を入力すると、ＩＤ情報−００１、ユーザ名Ａ、及び認証情報の特徴値（ハッシュ値等）が通信手段１０４（図１）からネットワーク３００（図１）を介してサーバ装置２００（図１）に送られる。
【００３１】
ステップＳ１−４
サーバ装置２００（図１）では、端末登録部２０９（図１）が、通信手段２０３を介してＩＤ情報−００１、ユーザ名Ａ、及び認証情報の特徴値（ハッシュ値等）を受入れてＩＤ情報−００１をキーとする領域を新たに情報共有テーブル２０７ｃ（図１）に確保して、ユーザ名Ａと認証情報の特徴値を保存する。
【００３２】
ステップＳ１−５
登録が完了すると登録完了通知ＯＫが、登録に失敗すると登録失敗通知ＮＧが、通信手段２０３からネットワーク３００を介して携帯端末装置１００（ユーザＡ）へ送信される。この通知は、表示手段１０２（図１）に表示されシーケンスを終了する。
【００３３】
尚、携帯端末装置１００（ユーザＡ）／サーバ装置２００間で認証情報や個人情報などの秘密情報を通信する際には、通信路を暗号化してセキュリティを高めるものとする（以下同様）。
【００３４】
次にペアリング登録の処理を示す。本発明におけるペアリングとは、本情報共有サービスにより、２つの携帯電話間で情報共有を可能にすることを意味する。また、ペアリング登録とは、ペアリングしたことをサーバ装置へ登録することを意味する。
【００３５】
ここでは、既に、ユーザＡが保持するＩＤ情報−００１の携帯電話（図２）とユーザＢが保持するＩＤ情報−００２の携帯電話（図２）が既にペアリング登録されている状態から、新たに、ユーザＡが保持するＩＤ情報−００１の携帯電話（図２）とユーザＣが保持するＩＤ情報−００３の携帯電話（図２）をペアリング登録することを想定して説明する。
【００３６】
図４は、ペアリング登録前の情報共有テーブルである。
この図は、ユーザＡが保持するＩＤ情報−００１の携帯電話（図２）とユーザＢが保持するＩＤ情報−００２の携帯端末電話（図２）がペアリング登録されている場合における、サーバ装置上での情報共有テーブルの内容を示している。ユーザＡの携帯電話とユーザＢの携帯電話がペアリング登録されているばかりでなく、ユーザＡのユーザＢ向けの共有情報（タイトル「基本情報」、登録日時「０６／３／２０、１１：１１」、共有情報「ユーザＡの基本情報［住所、最寄り駅、勤務先］」）が既に登録されている。また、ユーザＣの携帯電話（図２）の電話登録は既に完了している。この状態から、ユーザＡがユーザＣとペアリング登録する方法を説明する。尚、情報共有テーブルには、各携帯電話の登録時に認証情報の特徴値が格納されている。
【００３７】
図５は、ペアリング登録シーケンスである。
図のステップＳ２−１（Ａ）、及びステップＳ２−１（Ｂ）〜ステップＳ２−４（Ａ）、及びステップＳ２−４（Ｂ）までステップ順にペアリング登録の動作について説明する。
【００３８】
ステップＳ２−１（Ａ）、及び並行して動作するステップＳ２−１（Ｃ）
今、ユーザＡがＩＤ情報−００１の携帯電話を、ユーザＣがＩＤ情報−００３の携帯電話をそれぞれ保有しているとする。まず、ユーザＡ、及びユーザＣの操作によって、それぞれのＭＰＵ１０７（図１）が、それぞれの情報共有アプリケーションソフト１１０ａ（図１）を実行し、それぞれのペアリング登録部１１２（図１）が起動する。
【００３９】
ステップＳ２−２（Ａ）、及び並行して動作するステップＳ２−２（Ｃ）
認証部１０５（図１）により本人認証が求められる。ユーザＡ、ユーザＣは、各々の携帯電話において、本人認証を実施する。両者ともに本人認証に成功すると、ペアリング実施可能になる。いずれかが本人認証に失敗するとペアリング不可になる。本実施例では、ペアリング登録は、双方の携帯電話に装着された無線タグ内のＩＤ情報を他方の無線タグリーダで読み出し、各々、他方のＩＤ情報をサーバ装置２００に登録することにより実施される。例えば、ユーザＡの携帯電話は、無線タグリーダ機能でユーザＣの携帯電話の無線タグ内のＩＤ情報−００３を読み出し、それを、ユーザＡの携帯電話のＩＤ情報−００１、ユーザＡの認証情報の特徴値、と共にサーバ装置へ送る。同様に、ユーザＣの携帯電話は、無線タグリーダ機能でユーザＡの携帯電話の無線タグ内のＩＤ情報−００１を読み出し、それを、ユーザＣの携帯電話のＩＤ情報−００３、ユーザＣの認証情報の特徴値とともにサーバ装置へ送る。
【００４０】
ステップＳ２−３（Ａ）、及び並行して動作するステップＳ２−３（Ｃ）
サーバ装置２００の認証部２１３（図１）は、ユーザＡの認証情報の特徴値と照合して認証し、ペアリング登録部２１０（図１）がＩＤ情報−００１をキーとする領域で、ユーザＣの携帯電話のＩＤ情報−００３及びユーザ名Ｃを登録する。同様にサーバ装置２００の認証部２１３は、ユーザＣの認証情報の特徴値と照合して認証し、ペアリング登録部２１０（図１）がＩＤ情報−００３をキーとする領域で、ユーザＡの携帯電話のＩＤ情報−００１及びユーザ名Ａを登録する。
【００４１】
ステップＳ２−４（Ａ）、及び並行して動作するステップＳ２−４（Ｃ）
ペアリング登録が完了すると登録完了通知ＯＫが、ペアリング登録に失敗すると登録失敗通知ＮＧが、通信手段２０３（図１）からネットワーク３００を介してユーザＡの携帯電話へ送信される。この通知は、表示手段１０２（図１）に表示されシーケンスを終了する。同様に、ペアリング登録が完了すると登録完了通知ＯＫが、ペアリング登録に失敗すると登録失敗通知ＮＧが、通信手段２０３（図１）からネットワーク３００を介してユーザＣの携帯電話へ送信される。この通知は、表示手段１０２（図１）に表示されシーケンスを終了する。
【００４２】
図６は、ペアリング登録後の情報共有テーブルである。
この図は、ユーザＡの携帯電話とユーザＣの携帯電話のペアリング登録完了後の情報共有テーブルを示す。ＩＤ情報−００１をキーとする領域とＩＤ情報−００３をキーとする領域の各々において、互いのペアリング相手の領域が確保されている。
【００４３】
次に、共有情報登録の処理を示す。ここで、共有情報登録とは、携帯電話が本情報共有サービスに情報を登録して、他の携帯電話に公開することを意味する。
図７は、共有情報登録前の情報共有テーブルである。
この図は、情報共有登録前の、サーバ装置上の情報共有テーブルの状態を示す。ＩＤ情報−００１をキーとする領域では、既に、ユーザＢ向け及びユーザＣ向けに共有情報（タイトル「基本情報」、登録日時「０６／３／２０、１１：１１」、共有情報「ユーザＡの基本情報［住所、最寄り駅、勤務先］」）が登録されている。この状態から、ユーザＡがユーザＢ向けに共有情報（タイトル「家族情報」、ユーザＡの家族情報［家族の名前、性別、年齢、衣服サイズ］」）を登録する方法について説明する。
【００４４】
図８は、共有情報登録シーケンスである。
ステップＳ３−１〜ステップＳ３−９までステップ順に共有情報登録の動作について説明する。
ステップＳ３−１
ユーザＡの携帯電話のＭＰＵ１０７（図１）が、情報共有アプリケーションソフト１１０ａ（図１）を実行し、共有情報登録部１１３（図１）を起動する。
【００４５】
ステップＳ３−２
認証部１０５（図１）によって本人認証が求められる。ユーザＡは、携帯電話において、本人認証を実施する。本人認証に成功すると、共有情報登録部１１３（図１）は、まず、サーバ装置２００に、ＩＤ情報−００１とユーザＡの認証情報の特徴値を送る。
【００４６】
ステップＳ３−３
サーバ装置２００で認証部２１３（図１）が認証を行なう。サーバ装置２００での認証に成功すると、サーバ装置２００の共有情報登録部２１１（図１）からユーザＡの携帯電話に、予めペアリング登録された共有相手のリストが送られる。
【００４７】
ステップＳ３−４
共有情報登録部１１３（図１）は、携帯電話の表示手段１０２（図１）に情報共有相手選択画面を表示する。情報共有テーブル（図７）では、現在、ユーザＡのペアリング相手として、ユーザＢとユーザＣが登録されているので、情報共有相手選択画面では、ユーザＢとユーザＣが表示される。
【００４８】
ステップＳ３−５
本画面において、まず、ユーザＡに対して情報共有相手の選択が求められる。情報共有相手は複数選択することも可能だが、ここではユーザＢが選択されたと仮定する。
【００４９】
ステップＳ３−６
次に、共有情報登録部１１３（図１）は、携帯電話の表示手段１０２（図１）に情報登録画面を表示する。
【００５０】
ステップＳ３−７
ユーザＡが入力手段１０１（図１）と表示手段１０２（図１）を用いて情報登録画面上で、共有したい情報、タイトルを入力する。ここでは、共有情報（タイトル「家族情報」、共有情報「ユーザＡの家族情報［家族の名前、性別、年齢、衣服サイズ］」）を入力する。すると、共有情報登録部１１３（図１）は、通信手段１０４を介してサーバ装置に、ＩＤ情報−００１、共有相手Ｂ、共有情報（タイトル「家族情報」、共有情報「ユーザＡの家族情報［家族の名前、性別、年齢、衣服サイズ］」）を送信する。
【００５１】
ステップＳ３−８
サーバ装置２００では、共有情報登録部２１１（図１）がＩＤ情報−００１をキーとする領域の中の、共有相手Ｂの領域に受信した共有情報を登録する。この時、共有情報には登録日時が付与される。
【００５２】
ステップＳ３−９
登録が完了すると登録完了通知ＯＫが、登録に失敗すると登録失敗通知ＮＧが、通信手段２０３からネットワーク３００を介して携帯端末装置１００（ユーザＡ）へ送信される。この通知は、表示手段１０２（図１）に表示されシーケンスを終了する。
【００５３】
図９は、共有情報登録後、及び、参照時の情報共有テーブルである。
上記シーケンスが終了すると図に示すように、サーバ装置２００の情報共有テーブル２０７ｃに、共有情報（タイトル「家族情報」、共有情報「ユーザＡの家族情報［家族の名前、性別、年齢、衣服サイズ］」）が格納される。
【００５４】
次に、共有情報参照の処理をしめす。共有情報参照とは、携帯電話が本情報共有サービスに登録されている他の携帯電話から情報を参照することを意味する。ここでは、図９の情報共有テーブルの状態において、ユーザＢが、ユーザＡの家族情報を参照する方法について説明する。
【００５５】
図１０は、共有情報参照シーケンスである。
ステップＳ４−１〜ステップＳ４−９までステップ順に共有情報参照の動作について説明する。
ステップＳ４−１
ＭＰＵ１０７（図１）が、情報共有アプリケーションソフト１１０ａ（図１）を実行し、共有情報参照部１１４（図１）を起動する。
【００５６】
ステップＳ４−２
認証部１０５（図１）により本人認証が求められる。ユーザＢは、携帯電話において、本人認証を実施する。本人認証に成功すると、まず、共有情報参照部１１４（図１）がサーバ装置２００に、ＩＤ情報−００２とユーザＢの認証情報の特徴値を送る。
【００５７】
ステップＳ４−３
サーバ装置２００では、認証部２１３（図１）は、ＩＤ情報−００２をキーとする領域で、Ｂの認証情報の特徴値と照合して認証する。サーバ装置２００での認証に成功すると、サーバ装置２００から携帯電話に、予めＩＤ情報−００２をキーとする領域でペアリング登録されている共有相手のリスト（ＡとＣ）が送られる。
【００５８】
ステップＳ４−４
携帯電話の表示手段１０２（図１）に共有情報参照部１１４（図１）は、情報共有相手選択画面を表示させる。本画面においてユーザＢが情報共有相手Ａを選択すると、携帯電話からサーバ装置２００へ情報共有相手Ａが送信される。
【００５９】
ステップＳ４−５
サーバ装置２００では、共有情報参照部２１２（図１）が、ＩＤ情報−００１をキーとする領域の、情報共有相手としての（００２、Ｂ）の領域に格納されている情報のタイトルと登録日時（基本情報［０６／３／２０、１１：１１］、家族情報［０６／４／１、９：４９］）を携帯電話へ送り返す。
【００６０】
ステップＳ４−６
携帯電話画面では、それらのタイトル（及び登録日時）の一覧リストが、表示手段１０２（図１）の情報選択画面に表示される。
【００６１】
ステップＳ４−７
本画面でユーザがタイトル（「家族情報」）を選択すると、携帯電話からサーバ装置２００へ、タイトル（「家族情報」）が送られる。
【００６２】
ステップＳ４−８
サーバ装置２００では、対応する共有情報（ユーザＡの家族情報［名前、性別、年齢、衣服サイズ］）を携帯電話へ送り返す。
【００６３】
ステップＳ４−９
その後、携帯電話画面において、ユーザＡの家族情報が表示され、シーケンスが終了する。
【００６４】
以上説明したように、本発明により、ユーザは、サーバ装置上での情報共有相手を、互いの携帯端末装置を近接させ、本人認証を行うだけで設定でき、また、利便性を損なわずに安全にサーバ装置上で情報共有を行えるという効果を得る。更に、サーバ装置上で情報共有を行うことで、携帯端末上の記憶領域の容量に制限されることなく、いつでもどこでも必要な情報を取得することができ、必要時に格納されていなかった情報についても、即時に携帯端末でコミュニケーションすることにより、相手に情報を登録してもらえるという効果を得る。
【産業上の利用可能性】
【００６５】
上記実施例の説明では、本発明を、携帯電話に適用した場合に限定して説明したが、本発明はこの例に限定されるものでは無い。即ち、ＰＤＡや営業端末等に対しても適用可能である。
【図面の簡単な説明】
【００６６】
【図１】携帯端末装置による情報共有システムのシステム構成図である。
【図２】ユーザと携帯端末装置との関連説明図である。
【図３】端末登録シーケンスである。
【図４】ペアリング登録前の情報共有テーブルである。
【図５】ペアリング登録シーケンスである。
【図６】ペアリング登録後の情報共有テーブルである。
【図７】共有情報登録前の情報共有テーブルである。
【図８】共有情報登録シーケンスである。
【図９】共有情報登録後、及び、参照時の情報共有テーブルである。
【図１０】共有情報参照シーケンスである。
【符号の説明】
【００６７】
１００    携帯端末装置
１０１    入力手段
１０２    表示手段
１０３    ＩＤ情報取得手段
１０４    通信手段
１０５    認証部
１０６    ＩＤ情報
１０７    ＭＰＵ
１０８    ＲＯＭ
１０９    ＲＡＭ
１１０    記憶部
１１０ａ    情報共有アプリケーションソフト
１１０ｂ    認証情報
２００    サーバ装置
２０１    入力手段
２０２    表示手段
２０３    通信手段
２０４    ＣＰＵ
２０５    ＲＯＭ
２０６    ＲＡＭ
２０７    記憶部
２０７ａ    情報共有サービスソフト
２０７ｂ    情報共有アプリケーションソフト
２０７ｃ    情報共有テーブル
２０８    情報共有アプリケーション提供部
２０９    端末登録部
２１０    ペアリング登録部
２１１    共有情報登録部
２１２    共有情報参照部
３００    ネットワーク
【図１】
2008047022.tif 000003
【図２】
2008047022.tif 000004
【図３】
2008047022.tif 000005
【図４】
2008047022.tif 000006
【図５】
2008047022.tif 000007
【図６】
2008047022.tif 000008
【図７】
2008047022.tif 000009
【図８】
2008047022.tif 000010
【図９】
2008047022.tif 000011
【図１０】
2008047022.tif 000012